(57)【要約】  本発明は検出方法、送信端、受信端及び検出システムを提供し、該方法は、送信端は、ＰＤＣＰレイヤのＣＯＵＮＴ検出条件を満たすと検出された場合、ＰＤＣＰレイヤを介してＣＯＵＮＴ値が乗せられた検出パケットを受信端に送信することと、受信端は、ＰＤＣＰレイヤを介して送信されたＣＯＵＮＴ値が乗せられた検出パケットを受信した後、検出パケット中のＣＯＵＮＴ値と受信端に記憶されているＣＯＵＮＴ値が一致するか否かを比較することと、を含む。
2017536734.tif 000002
【特許請求の範囲】
【請求項１】
パケットデータコンバージェンスプロトコルＰＤＣＰレイヤの計数パラメータＣＯＵＮＴの検出方法であって、
ＰＤＣＰレイヤのＣＯＵＮＴ検出条件を満たすか否かを検出することと、
満たすと、ＰＤＣＰレイヤを介してＣＯＵＮＴ値が乗せられた検出パケットを送信することと、
を含むＰＤＣＰレイヤのＣＯＵＮＴの検出方法。
【請求項２】
前記ＰＤＣＰレイヤにおいて前記検出パケットに隣り合う一つ前の時刻のデータパケットを確定し、前記データパケットに対応するＣＯＵＮＴ値を前記検出パケット中のＣＯＵＮＴ値とすることを更に含む請求項１に記載のＰＤＣＰレイヤのＣＯＵＮＴの検出方法。
【請求項３】
ＰＤＣＰレイヤを介して、ＣＯＵＮＴ値が乗せられた検出パケットを受信することと、
前記検出パケット中のＣＯＵＮＴ値と本側に記憶しているＣＯＵＮＴ値とが一致するか否かを比較することと、
を含むＰＤＣＰレイヤのＣＯＵＮＴの検出方法。
【請求項４】
送信端は、ＰＤＣＰレイヤのＣＯＵＮＴ検出条件を満たすと検出された場合、ＰＤＣＰレイヤを介して受信端にＣＯＵＮＴ値が乗せられた検出パケットを送信することと、
前記受信端は、ＰＤＣＰレイヤを介して送信された、ＣＯＵＮＴ値が乗せられた検出パケットを受信した後、前記検出パケット中のＣＯＵＮＴ値と前記受信端に記憶されているＣＯＵＮＴ値とが一致するか否かを比較することと、
を含むＰＤＣＰレイヤのＣＯＵＮＴの検出方法。
【請求項５】
前記送信端のＣＯＵＮＴ値と前記受信端のＣＯＵＮＴ値とが一致しない場合、
更に、前記送信端と前記受信端との間の通信リンクを再び確立し、又は、前記受信端のＣＯＵＮＴ値を前記送信端のＣＯＵＮＴ値に修正することを含む請求項４に記載のＰＤＣＰレイヤのＣＯＵＮＴの検出方法。
【請求項６】
ＰＤＣＰレイヤのＣＯＵＮＴの検出に用いられる送信端であって、
ＰＤＣＰレイヤのＣＯＵＮＴ検出条件を満たすか否かを検出するように構成される検出手段と、
前記検出手段による検出結果が満たす場合、ＰＤＣＰレイヤを介してＣＯＵＮＴ値が乗せられた検出パケットを送信するように構成される送信手段と、を含む送信端。
【請求項７】
前記ＰＤＣＰレイヤにおいて前記検出パケットに隣り合う一つ前の時刻のデータパケットを確定し、前記データパケットに対応するＣＯＵＮＴ値を前記検出パケット中のＣＯＵＮＴ値とするように構成される処理手段を更に含む請求項６に記載の送信端。
【請求項８】
ＰＤＣＰレイヤのＣＯＵＮＴの検出に用いられる受信端であって、
ＰＤＣＰレイヤを介して、ＣＯＵＮＴ値が乗せられた検出パケットを受信するように構成される受信手段と、
前記検出パケット中のＣＯＵＮＴ値と本側に記憶しているＣＯＵＮＴ値とを比較するように構成された比較手段と、を含む受信端。
【請求項９】
請求項６又は７に記載の送信端と請求項８に記載の受信端とを含み、
前記送信端は、ＰＤＣＰレイヤのＣＯＵＮＴ検出条件を満たすことが検出された場合、ＰＤＣＰレイヤを介してＣＯＵＮＴ値が乗せられた検出パケットを受信端に送信するように構成され、前記受信端は、ＰＤＣＰレイヤを介してＣＯＵＮＴ値が乗せられた検出パケットを受信した後、前記検出パケット中のＣＯＵＮＴ値と前記受信端に記憶されているＣＯＵＮＴ値とが一致するか否かを比較するように構成されるＰＤＣＰレイヤのＣＯＵＮＴの検出システム。
【請求項１０】
前記送信端のＣＯＵＮＴ値と前記受信端のＣＯＵＮＴ値とが一致しない場合、前記送信端と前記受信端との間の通信リンクを再び確立し、又は、前記受信端のＣＯＵＮＴ値を前記送信端のＣＯＵＮＴ値に修正するように構成される修正装置を更に含む請求項９に記載のＰＤＣＰレイヤのＣＯＵＮＴの検出システム。
【請求項１１】
請求項１乃至５の中のいずれかに記載の方法を実行するためのコンピュータが実行可能な指令が記憶されたコンピュータが読取り可能な記憶媒体。
【発明の詳細な説明】
【技術分野】
【０００１】
本発明は、通信分野に関し、特に、ＬＴＥ（Ｌｏｎｇ  Ｔｅｒｍ  Ｅｖｏｌｕｔｉｏｎ、長期進化）通信システムにおけるＰＤＣＰ（Ｐａｃｋｅｔ  Ｄａｔａ  Ｃｏｎｖｅｒｇｅｎｃｅ  Ｐｒｏｔｏｃｏｌ、パケットデータコンバージェンスプロトコル）レイヤのＣＯＵＮＴ（計数パラメータ）を検出する検出方法、送信端、受信端及び検出システムに関するものである。
【背景技術】
【０００２】
第４世代移動通信システムの無線通信ＬＴＥネットワークにおいて、ユーザープレーンプロトコルスタックのＰＤＣＰレイヤの主な責任は、エアインターフェースのデータの暗号化や復号化、完全性保護、ヘッド圧縮、切り替え中のデータの順序伝送と完全性の保護にあって、その中、エアインターフェースデータの暗号化や復号化に係っているパラメータの一つがＣＯＵＮＴ値であって、ＣＯＵＮＴ値は３２ｂｉｔで、下位はＳＮ（シリアル番号）で、その他の上位部分はＨＦＮ（Ｈｙｐｅｒ  Ｆｒａｍｅ  Ｎｕｍｂｅｒ：ハイパーフレーム番号）である。ＬＴＥシステムにおいて、エアインターフェースの帯域幅を節約する原則に従って、ＰＤＣＰのパケットのみでＳＮ部分を伝送し、ＨＦＮ部分はＳＮの反転状況に応じて受信端と送信端（即ち、端末と基地局）によりそれぞれ保守されている。基地局と端末とに記憶されたＨＦＮが一致しないと、ＣＯＵＮＴ値にミスがあって、復号化に失敗して受信データをロスしてしまい、一応発生すると回復が不可能である。
【０００３】
上記課題を解決するため、３ＧＰＰ（３ｒｄ  Ｇｅｎｅｒａｔｉｏｎ  Ｐａｒｔｎｅｒｓｈｉｐ  Ｐｒｏｊｅｃｔ：第３世代パートナーシップ・プロジェクト）の３６．３３１プロトコルは、基地局と端末の両側でのＣＯＵＮＴの一致性を保証するためのＰＤＣＰレイヤのＣＯＵＮＴを検出する方法を提供し、具体的には、基地局側でＣＯＵＮＴの検出を行う必要がある場合、Ｃｏｕｎｔｅｒ  Ｃｈｅｃｋメッセージを端末に送信し、端末が実際状況に応じてＣｏｕｎｔｅｒ  Ｃｈｅｃｋ  Ｒｅｓｐｏｎｓｅメッセージに記入して基地局に返送することを含む。基地局側が送信するＣｏｕｎｔｅｒ  Ｃｈｅｃｋメッセに全てのＤＲＢ（Ｄａｔａ  Ｒａｄｉｏ  Ｂｅａｒｅｒ、データ無線ベアラ）の上り／下りのＣＯＵＮＴ値の上位が乗せられ、端末側がＣｏｕｎｔｅｒ  Ｃｈｅｃｋ  Ｒｅｓｐｏｎｓｅに記入する方法は、ＵＥのある一つのＤＲＢがＣｏｕｎｔｅｒ  Ｃｈｅｃｋメッセージに存在しないと、Ｃｏｕｎｔｅｒ  Ｃｈｅｃｋ  ＲｅｓｐｏｎｓｅにＤＲＢ−Ｉｅｎｔｉｔｙと対応する上り／下りＣＯＵＮＴ値を記入し、ＵＥのある一つのＤＲＢのＣＯＵＮＴ値の上位とＣｏｕｎｔｅｒ  Ｃｈｅｃｋメッセージ中の対応するＤＲＢのＣＯＵＮＴ値の上位が異なると、Ｃｏｕｎｔｅｒ  Ｃｈｅｃｋ  ＲｅｓｐｏｎｓｅにＵＥ側の対応する上り／下りＣＯＵＮＴ値を記入し、Ｃｏｕｎｔｅｒ  Ｃｈｅｃｋ中のある一つのＤＲＢがＵＥに存在しないと、Ｃｏｕｎｔｅｒ  Ｃｈｅｃｋ  Ｒｅｓｐｏｎｓｅにおいて該ＤＲＢのＣＯＵＮＴ上位をＣｏｕｎｔｅｒ  Ｃｈｅｃｋと同一に設定し下位を０に設定する。
【０００４】
上記方法によると、受信端と送信端のＣＯＵＮＴが一致しない状況をある程度に緩和することはできるものの、上記検出方法に係っているＣｏｕｎｔｅｒ  Ｃｈｅｃｋメッセージ及びＣｏｕｎｔｅｒ  Ｃｈｅｃｋ  ＲｅｓｐｏｎｓｅメッセージがいずれもＲＲＣ（Ｒａｄｉｏ  Ｒｅｓｏｕｒｃｅ  Ｃｏｎｔｒｏｌ、無線リソース制御）レイヤのメッセージに属し、メッセージ中の内容に対応するのはある時刻のＰＤＣＰレイヤのＣＯＵＮＴ値であって、ＲＲＣレイヤのメッセージはＳＲＢ（Ｓｉｇｎａｌｌｉｎｇ  Ｒａｄｉｏ  Ｂｅａｒｅｒｓ、シグナル無線ベアラ）に乗せられ、ＰＤＣＰのパケットはＤＲＢに乗せられるが、ＳＲＢとＤＲＢのスケジューリング優先級が異なっているので、リソースが不足である場合、ＲＲＣレイヤのメッセージとＰＤＣＰレイヤのメッセージとが同時にスケジューリングされると保証することができず、ＲＲＣレイヤのメッセージとＰＤＣＰレイヤのメッセージが相手側に達する時刻が異なっている可能性があって、到達する時間が異なると、Ｃｏｕｎｔｅｒ  Ｃｈｅｃｋメッセージ／Ｃｏｕｎｔｅｒ  Ｃｈｅｃｋ  Ｒｅｓｐｏｎｓｅメッセージに乗せられたＰＤＣＰレイヤのＣＯＵＮＴ値がメッセージを受信した時刻のＣＯＵＮＴ値ではないので、検出結果が間違ってしまい、つまり、既存技術の検出方法は、ＲＲＣレイヤのメッセージを検出パケットとするので、検出結果にミスがある。
【発明の概要】
【発明が解決しようとする課題】
【０００５】
本発明は、既存技術においてＲＲＣレイヤのメッセージを検出パケットすることで検出結果にミスがある問題を解決する検出方法、送信端、受信端及び検出システムを提供する。
【課題を解決するための手段】
【０００６】
一実施例において、ＰＤＣＰレイヤのＣＯＵＮＴ検出条件を満たすか否かを検出することと、満たすと、ＰＤＣＰレイヤを介してＣＯＵＮＴ値が乗せられた検出パケットを送信することと、を含むＰＤＣＰレイヤのＣＯＵＮＴの検出方法を提供する。
【０００７】
上記実施例は、ＰＤＣＰレイヤにおいて検出パケットに隣り合う一つ前の時刻のデータパケットを確定し、データパケットに対応するＣＯＵＮＴ値を検出パケット中のＣＯＵＮＴ値とすることを更に含む。
【０００８】
一実施例において、ＰＤＣＰレイヤを介して、ＣＯＵＮＴ値が乗せられた検出パケットを受信することと、検出パケット中のＣＯＵＮＴ値と本側に記憶しているＣＯＵＮＴ値とが一致するか否かを比較することと、を含むＰＤＣＰレイヤのＣＯＵＮＴの検出方法を提供する。
【０００９】
一実施例において、送信端は、ＰＤＣＰレイヤのＣＯＵＮＴ検出条件を満たすと検出された場合、ＰＤＣＰレイヤを介して受信端にＣＯＵＮＴ値が乗せられた検出パケットを送信することと、受信端は、ＰＤＣＰレイヤを介して送信されたＣＯＵＮＴ値が乗せられた検出パケットを受信した後、検出パケット中のＣＯＵＮＴ値と受信端に記憶されているＣＯＵＮＴ値とが一致するか否かを比較することと、を含むＰＤＣＰレイヤのＣＯＵＮＴの検出方法を提供する。
【００１０】
上記実施例は、送信端のＣＯＵＮＴ値と受信端のＣＯＵＮＴ値とが一致しない場合、送信端と受信端との間の通信リンクを再び確立し、又は、受信端のＣＯＵＮＴ値を送信端のＣＯＵＮＴ値に修正することを更に含む。
【００１１】
一実施例において、ＰＤＣＰレイヤのＣＯＵＮＴの検出に用いられる送信端であって、ＰＤＣＰレイヤのＣＯＵＮＴ検出条件を満たすか否かを検出するように構成される検出手段と、検出手段による検出結果が満たす場合、ＰＤＣＰレイヤを介してＣＯＵＮＴ値が乗せられた検出パケットを送信するように構成される送信手段と、を含む送信端を提供する。
【００１２】
上記実施例中の送信端は、ＰＤＣＰレイヤにおいて検出パケットに隣り合う一つ前の時刻のデータパケットを確定し、データパケットに対応するＣＯＵＮＴ値を検出パケット中のＣＯＵＮＴ値とするように構成される処理手段を更に含む。
【００１３】
一実施例において、ＰＤＣＰレイヤのＣＯＵＮＴの検出に用いられる受信端であって、ＰＤＣＰレイヤを介して、ＣＯＵＮＴ値が乗せられた検出パケットを受信するように構成される受信手段と、検出パケット中のＣＯＵＮＴ値と本側に記憶しているＣＯＵＮＴ値とを比較するように構成された比較手段と、を含む受信端を提供する。
【００１４】
一実施例において、送信端と受信端とを含み、送信端は、ＰＤＣＰレイヤのＣＯＵＮＴ検出条件を満たすことが検出された場合、ＰＤＣＰレイヤを介して受信端にＣＯＵＮＴ値が乗せられた検出パケットを送信するように構成され、受信端は、ＰＤＣＰレイヤを介してＣＯＵＮＴ値が乗せられた検出パケットを受信した後、検出パケット中のＣＯＵＮＴ値と受信端に記憶されているＣＯＵＮＴ値とが一致するか否かを比較するように構成されるＰＤＣＰレイヤのＣＯＵＮＴの検出システムを提供する。
【００１５】
上記実施例中の検出システムは、送信端のＣＯＵＮＴ値と受信端のＣＯＵＮＴ値とが一致しない場合、送信端と受信端との間の通信リンクを再び確立し、又は、受信端のＣＯＵＮＴ値を送信端のＣＯＵＮＴ値に修正するように構成される修正装置を更に含む。
【００１６】
上述したいずれかの方法を実行するためのコンピュータが実行可能な指令が記憶されたコンピュータが読取り可能な記憶媒体を提供する。
【００１７】
本発明で提供する検出方法、送信端、受信端及び検出システムによると、ＰＤＣＰレイヤのパケットを用いて、ＰＤＣＰレイヤで送信端と受信端のＣＯＵＮＴ検査を完成し、データパケットと検出パケットがいずれもＰＤＣＰレイヤで伝送され、また、ＲＬＣ（Ｒａｄｉｏ  Ｌｉｎｋ  Ｃｏｎｔｒｏｌ、無線リンク制御プロトコル）レイヤでＰＤＣＰレイヤのパケットの順序伝送を保証するので、受信端は送信端がパケットを送信した順に従って検査パケットを受信することになり、これにより、受信端が解析して得るＣＯＵＮＴ値は送信端が最後に送信したデータパケットに対応するＣＯＵＮＴ値であって、本側に記憶しているＣＯＵＮＴ値（受信された最後のデータパケットに対応するＣＯＵＮＴ値）と比較すると両側のＣＯＵＮＴ値が一致するか否かを判断することができ、判断結果に基づいて、後続のフローを行うことで、既存技術においてＲＲＣレイヤのメッセージを検出パケットすることで検出結果にミスがある問題を解決し、ＰＤＣＰレイヤのＣＯＵＮＴ検出の正確性を保証できる。
【図面の簡単な説明】
【００１８】
【図１】本発明の第１の実施例で提供する検出システムの構造を示す図である。
【図２】本発明の第２の実施例で提供する検出方法を示すフローチャートである。
【発明を実施するための形態】
【００１９】
以下、図面を結合して本発明の実施形態を詳しく説明する。
【００２０】
第１の実施例：
図１は、本発明の第１の実施例で提供する検出システムの構造を示す図であり、図１に示すように、本実施例において、検出システム１は、送信端１１と、受信端１２とを含む。
【００２１】
送信端１１は、ＰＤＣＰレイヤのＣＯＵＮＴ検出条件を満たすことが検出された場合、ＰＤＣＰレイヤを介して受信端にＣＯＵＮＴ値が乗せられた検出パケットを送信する。実際の応用において、送信端１１は基地局であることができれば、端末であることもでき、送信端１１がＰＤＣＰレイヤのＣＯＵＮＴ検出条件を満たすか否かを検出することは、例えば時間周期的トリガー、パケット数量閾値トリガー、ロス数量閾値トリガーなどの送信端の戦略によって決定することができる。
【００２２】
受信端１２は、ＰＤＣＰレイヤを介してＣＯＵＮＴ値が乗せられた検出パケットを受信した後、検出パケット中のＣＯＵＮＴ値と受信端に記憶されているＣＯＵＮＴ値とが一致するか否かを比較するように構成される。
【００２３】
受信端１２と送信端１１は同一のサービスリンクの両端に属し、実際の応用において、ＰＤＣＰレイヤにＤＲＢサービスがのせられるので、本願の受信端１２と送信端１１はＤＲＢサービスの両端であって、両端のＣＯＵＮＴ値は通常、送信端１１及び受信端１２の送信済み／受信済みのデータパケットの数量であって、ＰＤＣＰレイヤはＣＯＵＮＴ値を用いて、データパケットの暗号化／復号化処理を行い、サービス中にデータパケットのロスがあると、後続のデータパケットの復号化にミスが発生し、無効データパケットであると認定して廃棄して、最終的にＤＲＢサービスが崩れてしまう。本発明は、ＣＯＵＮＴ検出パケットを送信して両端のＣＯＵＮＴ値が一致するか否かを検出して、ＣＯＵＮＴ値を修正する必要があるか否かを判断し、両端のＣＯＵＮＴ値が一致しない場合、さまざまなルートの処理を経て、両端のＣＯＵＮＴ値を一致させることで、後続のデータパケットの正確な暗号化／復号化を保証する。一方、ＰＤＣＰレイヤを介してＣＯＵＮＴ検出パケットを送信するのは、ＰＤＣＰレイヤにおいてサービスパケットと検出パケットが同じスケジューリングレベルを有するので、受信端がパケットを受信する順序と送信端がパケットを送信した順序が一致して、既存技術のようなＲＲＣレイヤメッセージを用いることで受信端がパケットを受信する順序と送信端がパケットを送信した順序が異なってＣＯＵＮＴ検出結果が正確でない現象が発生することがないからである。
【００２４】
一部の実施例において、図１中の検出システムは更に修正装置を含み、修正装置は送信端のＣＯＵＮＴ値と受信端のＣＯＵＮＴ値とが一致しない場合、送信端と受信端との間の通信リンクを再び確立し、又は、受信端のＣＯＵＮＴ値を送信端のＣＯＵＮＴ値に修正する。
【００２５】
修正装置は複数の副機器を含むことができ、これらの副機器は送信端１１と受信端１２との間でＤＲＢサービスを切断する機能／ＤＲＢサービスを再び確立する機能を具備し、両端のＣＯＵＮＴ値が異なる場合、これらの副機器が既存のＤＲＢサービスを切断し、同一の効果を実現できるＤＲＢサービスを再び確立し、この時、新しく確立されたＤＲＢサービスの場合、両端のＣＯＵＮＴ値は同じである。また、これらの副機器は受信端のＣＯＵＮＴ値を送信端のＣＯＵＮＴ値に修正する機能を具備し、修正した後の両端のＣＯＵＮＴ値は同じである。
【００２６】
一部の実施例において、図１に示すように、本発明の実施例は送信端１１を提供し、ＰＤＣＰレイヤのＣＯＵＮＴの検出に用いられる送信端１１であって、検出手段１１１と送信手段１１２とを含み、検出手段１１１はＰＤＣＰレイヤのＣＯＵＮＴ検出条件を満たすか否かを検出するように構成され、送信手段１１２は検出手段による検出結果が満たす場合、ＰＤＣＰレイヤを介してＣＯＵＮＴ値が乗せられた検出パケットを送信するように構成される。送信手段１１２が検出パケットを送信する際、現在のＰＤＣＰレイヤの制御パケットタイプを修正して、検出ＣＯＵＮＴ専用の検出パケット（新規の制御パケット）を新しく追加して用いることができ、通信事業者は実際の状況に応じて検出パケットの実現方式を選択することができる。
【００２７】
現在のＰＤＣＰレイヤの全てのパケットタイプ以外に新規の検出ＣＯＵＮＴ専用の検出パケットを追加する場合、新しく追加される検出パケットはＰＤＣＰレイヤにおける制御パケットの汎用フォーマットで、順にＤ／Ｃフィールド（１バイトを占める）と、ＰＤＵ  ＴＹＰＥフィールド（検出パケットのタイプを示す、８バイトを占める）と、ＣＯＵＮＴフィールド（４バイトを占める）とを含むことができ、送信端がまずＳＮが４０９５，０であるデータパケットを送信した後、ＣＯＵＮＴを送信する条件を満たす（例えば、周期になった）と、ＣＯＵＮＴ検出パケットを構成し、その中でＤ／Ｃフィールド＝１で、ＰＤＵ  ＴＹＰＥ＝０ｘ１０で、ＣＯＵＮＴ＝０ｘ２０００であって、受信端に送信した後、データパケットを継続して送信し、ＳＮは１,２である。
【００２８】
上記実施例中の送信端１１は処理手段１１３を更に含み、処理手段１１３はＰＤＣＰレイヤにおいて検出パケットに隣り合う一つ前の時刻のデータパケットを確定し、データパケットに対応するＣＯＵＮＴ値を検出パケット中のＣＯＵＮＴ値とするように構成される。本実施例において検出パケットにてＣＯＵＮＴ値を確定するメカニズムを提供し、検出パケットの一つ前の時刻のデータパケットに対応するＣＯＵＮＴ値を検出パケット中のＣＯＵＮＴ値として、処理フローを簡略化できる。
【００２９】
一部の実施例において、図１に示すように、本発明の実施例で受信端１２を提供し、ＰＤＣＰレイヤのＣＯＵＮＴの検出に用いられる受信端１２であって、受信手段１２１と比較手段１２２とを含み、受信手段１２１はＰＤＣＰレイヤを介して、ＣＯＵＮＴ値が乗せられた検出パケットを受信するように構成され、比較手段１２２は検出パケット中のＣＯＵＮＴ値と本側に記憶しているＣＯＵＮＴ値とを比較するように構成される。
【００３０】
一部の実施例において、本発明の実施例で提供するＰＤＣＰレイヤのＣＯＵＮＴの検出方法は、ＰＤＣＰレイヤのＣＯＵＮＴ検出条件を満たすか否かを検出することと、満たすと、ＰＤＣＰレイヤを介してＣＯＵＮＴ値が乗せられた検出パケットを送信することと、を含む。
【００３１】
一部の実施例において、上記実施例は、ＰＤＣＰレイヤにおいて検出パケットに隣り合う一つ前の時刻のデータパケットを確定し、データパケットに対応するＣＯＵＮＴ値を検出パケット中のＣＯＵＮＴ値とすることを更に含む。
【００３２】
一部の実施例において、本発明の実施例で提供するＰＤＣＰレイヤのＣＯＵＮＴの検出方法は、ＰＤＣＰレイヤを介して、ＣＯＵＮＴ値が乗せられた検出パケットを受信することと、検出パケット中のＣＯＵＮＴ値と本側に記憶しているＣＯＵＮＴ値とが一致するか否かを比較することと、を含む。
【００３３】
第２の実施例：
図２は本発明の第２の実施例で提供する検出方法を示すフローチャートで、図２に示すように、本実施例において、本発明が提供するＰＤＣＰレイヤのＣＯＵＮＴの検出方法はステップ２０１〜２０２を含む。
【００３４】
Ｓ２０１において、送信端は、ＰＤＣＰレイヤのＣＯＵＮＴ検出条件を満たすと検出された場合、ＰＤＣＰレイヤを介して受信端にＣＯＵＮＴ値が乗せられた検出パケットを送信する。
【００３５】
Ｓ２０２において、受信端は、ＰＤＣＰレイヤを介して送信されたＣＯＵＮＴ値が乗せられた検出パケットを受信した後、検出パケット中のＣＯＵＮＴ値と受信端に記憶されているＣＯＵＮＴ値とが一致するか否かを比較する。
【００３６】
一部の実施例において、図２に示す方法は、ステップＳ２０２の比較結果が一致しない場合、送信端と受信端との間の通信リンクを再び確立し、又は、受信端のＣＯＵＮＴ値を送信端のＣＯＵＮＴ値に修正することを更に含む。
【００３７】
上記した実施例のステップの全部又は一部をコンピュータプログラムによって実現することができ、上記コンピュータプログラムをコンピュータ読取り可能な記憶媒体に記憶し、上記コンピュータプログラムを対応するハードウェアプラットフォーム（例えば、システム、機器、装置、素子など）で実行することができ、実行する際、方法実施例に一ステップ又はその組み合わせを含むことは当業者であれば理解できることである。
【００３８】
また、上記実施例のステップの全部又は一部を集積回路によって実現することができ、これらのステップをそれぞれの集積回路ブロックに製作して実現することができ、又は複数のブロック又は複数のステップを単一の集積回路ブロックにして実現することもできる。
【００３９】
上記実施例における装置／機能ブロック／機能ユニットを汎用のコンピュータ装置によって実現することができ、一つのコンピュータ装置に集積することができれば、複数のコンピュータからなるネットワークに分布させることもできる。
【００４０】
上記実施例における装置／機能ブロック／機能ユニットをソフトウェア機能手段の形態で実現して独立した製品として販売又は使用する場合、コンピュータ読取り可能な記憶媒体に記憶することができる。上述したコンピュータ読取り可能な記憶媒体は、読取り専用メモリ、ディスク、ＣＤなどであることができる。
【産業上の利用可能性】
【００４１】
ＰＤＣＰレイヤのパケットを用いて、ＰＤＣＰレイヤにおいて送信端と受信端のＣＯＵＮＴ検査を完成し、データパケットと検出パケットがいずれもＰＤＣＰレイヤで伝送され、またＲＬＣレイヤでＰＤＣＰレイヤのパケットの順序伝送を保証するので、受信端は送信端がパケットを送信した順に従って検査パケットを受信することになり、これにより、受信端が解析して得るＣＯＵＮＴ値は送信端が最後に送信したデータパケットに対応するＣＯＵＮＴ値であって、本側に記憶しているＣＯＵＮＴ値（受信された最後のデータパケットに対応するＣＯＵＮＴ値）と比較すると両側のＣＯＵＮＴ値が一致するか否かを判断することができ、判断結果に基づいて、後続のフローを行うことで、既存技術においてＲＲＣレイヤのメッセージを検出パケットすることで検出結果にミスがある問題を解決し、ＰＤＣＰレイヤのＣＯＵＮＴ検出の正確性を保証できる。
【図１】
2017536734.tif 000003
【図２】
2017536734.tif 000004
【国際調査報告】
2017536734.tif 000005
2017536734.tif 000006
2017536734.tif 000007
2017536734.tif 000008